(57)【要約】  電子基板と、前記電子基板と交換可能な保守用基板と、前記保守用基板に書込まれるファームウェアを管理するデータ管理装置と、前記保守用基板に前記ファームウェアを書込むとともに、前記電子基板に保持されていた情報を前記保守用基板に移行させるデータ書換装置を備え、前記保守用基板は、前記データ書換装置からの給電に基づいて前記情報を受信して記憶し、前記データ書換装置からの給電に基づいて前記ファームウェアを受信し、前記機器からの給電に基づいて前記ファームウェアを記憶し、前記データ書換装置は、前記電子基板から前記情報を読取り、前記情報に基づいて前記ファームウェアを前記データ管理装置から取得し、前記情報および前記ファームウェアを前記保守用基板に書込む。
2020003379.tif 000002
【特許請求の範囲】
【請求項１】
電子基板と交換可能な保守用基板に書込まれるファームウェアを管理するデータ管理装置と、
前記保守用基板に前記ファームウェアを書込むとともに、前記電子基板に保持されていた所定の情報を前記保守用基板に移行させるデータ書換装置を備える保守システム。
【請求項２】
前記所定の情報は、前記電子基板が搭載されていた機器に関する情報である請求項１に記載の保守システム。
【請求項３】
前記保守用基板は、
前記データ書換装置からの給電に基づいて前記情報を受信して記憶し、
前記データ書換装置からの給電に基づいて前記ファームウェアを受信し、
前記機器からの給電に基づいて前記ファームウェアを記憶する請求項２に記載の保守システム。
【請求項４】
前記データ書換装置は、
前記電子基板から前記情報を読取り、
前記情報に基づいて前記ファームウェアを前記データ管理装置から取得し、
前記情報および前記ファームウェアを前記保守用基板に書込む請求項２に記載の保守システム。
【請求項５】
前記機器は、空調機または給湯器である請求項２に記載の保守システム。
【請求項６】
交換可能な電子基板に保持されていた所定の情報を記憶し、
前記所定の情報に基づいて動作するファームウェアを記憶する保守用基板。
【請求項７】
前記所定の情報は、前記電子基板が搭載されていた機器に関する情報である請求項６に記載の保守用基板。
【請求項８】
前記情報の送信側からの給電に基づいて前記情報を記憶し、
前記機器からの給電に基づいて前記ファームウェアを記憶する請求項７に記載の保守用基板。
【請求項９】
前記情報の送信側からの給電に基づいて前記ファームウェアを受信し、
前記機器からの給電に基づいて前記ファームウェアを記憶する請求項７に記載の保守用基板。
【請求項１０】
前記機器は、空調機または給湯器である請求項７に記載の保守用基板。
【請求項１１】
携帯端末を用いたデータ書込方法であって、
前記携帯端末は、
電子基板に保持されている所定の情報を前記電子基板から読取り、
前記電子基板と交換される保守用基板に前記所定の情報を書込み、
前記所定の情報に基づいて動作するファームウェアを前記保守用基板に書込むデータ書込方法。
【請求項１２】
前記携帯端末は、
前記携帯端末から前記電子基板への給電に基づいて、前記電子基板から前記所定の情報を読取り、
前記携帯端末から前記保守用基板への給電に基づいて、前記保守用基板に前記所定の情報を書込む請求項１１に記載のデータ書込方法。
【発明の詳細な説明】
【技術分野】
【０００１】
本発明は、ファームウェアに基づいて動作する機器の保守システム、保守用基板およびデータ書込方法に関する。
【背景技術】
【０００２】
空調設備等の産業用設備は商業利用を目的とするため、故障時には迅速な対応が必要である。電気部品に関する故障においては、保守用基板への交換で対応する場合がある。一般的に、電子基板は、複数の製品に対応できるよう設計されており、所定のファームウェア（基板動作用のプログラム）を書込むことにより、対象の製品仕様に対応した動作を行う。【０００３】
本技術分野における背景技術として、特許文献１に開示された技術がある。特許文献１には、サーバ装置は、携帯電話機から保守対応装置の識別データを取得することにより、識別データに対応づけられた保守プログラムを携帯電話装置に送信し、交換後の新たな基板に保守プログラムを組込む方法が記載されている。
【先行技術文献】
【特許文献】
【０００４】
【特許文献１】特開２００９−８９０２０号公報
【発明の概要】
【発明が解決しようとする課題】
【０００５】
しかしながら、特許文献１に開示された方法では、交換後の新たな基板に保守プログラムを書込むことはできるが、故障した元の装置の情報を交換後の新たな基板に移行させることはできなかった。【０００６】
本発明は、上記事情に鑑みなされたものであり、その目的は、電子基板と交換される保守用基板にファームウェアを書込むとともに、電子基板に保持されていた情報を保守用基板に移行させることが可能な保守システム、保守用基板およびデータ書込方法を提供することにある。
【課題を解決するための手段】
【０００７】
上記目的を達成するため、第１の観点に係る保守システムは、電子基板と交換可能な保守用基板に書込まれるファームウェアを管理するデータ管理装置と、前記保守用基板に前記ファームウェアを書込むとともに、前記電子基板に保持されていた所定の情報を前記保守用基板に移行させるデータ書換装置を備える。
【発明の効果】
【０００８】
本発明によれば、電子基板と交換される保守用基板にファームウェアを書込むとともに、電子基板に保持されていた情報を保守用基板に移行させることができる。
【図面の簡単な説明】
【０００９】
【図１】図１は、第１実施形態に係る基板交換前後の保守システムの構成を示すブロック図である。
【図２】図２は、図１の空調機の構成例を示すブロック図である。
【図３】図３は、図１のデータ書換装置の構成例を示すブロック図である。
【図４】図４は、図１の空調機データ管理装置の構成例を示すブロック図である。
【図５】図５は、図１の装置情報の構成例を示す図である。
【図６】図６は、図１の空調機基板からのデータ読取りシーケンスを示す図である。
【図７】図７は、図１の空調機保守用基板へのデータ書込みシーケンスを示す図である。
【図８】図８は、図１のデータ書換装置のデータ読取り時の動作を示すフローチャートである。
【図９】図９は、図１のデータ書換装置のデータ書込み時の動作を示すフローチャートである。
【図１０】図１０は、図１の空調機の故障時の動作を示すフローチャートである。
【図１１】図１１は、図１の空調機の基板交換時の動作を示すフローチャートである。
【図１２】図１２は、第２実施形態に係る保守システムの空調機基板からのデータ読取りシーケンスを示す図である。
【図１３】図１３は、第２実施形態に係る保守システムの空調機保守用基板へのデータ書込みシーケンスを示す図である。
【図１４】図１４は、第２実施形態に係る保守システムの空調機データ管理装置へのデータ書込みシーケンスを示す図である。
【図１５】図１５は、第３実施形態に係る保守システムの空調機の構成例を示すブロック図である。
【図１６】図１６は、第３実施形態に係る保守システムのデータ書換装置の構成例を示すブロック図である。
【図１７】図１７は、第３実施形態に係る保守システムの空調機保守用基板へのデータ書込みシーケンスを示す図である。
【発明を実施するための形態】
【００１０】
実施形態について、図面を参照して説明する。なお、以下に説明する実施形態は特許請求の範囲に係る発明を限定するものではなく、また、実施形態の中で説明されている諸要素およびその組み合わせの全てが発明の解決手段に必須であるとは限らない。
【００１１】
図１は、第１実施形態に係る基板交換前後の保守システムの構成を示すブロック図である。
図１において、保守システムは、空気調和機（以下、空調機と言う）１１、空調機保守用基板１２、データ書換装置１３および空調機データ管理装置１４を備える。空調機１１は、空調機基板１７を備える。空調機基板１７は、空調機保守用基板１２と交換可能である。空調機基板１７および空調機保守用基板１２は、同一構成の電子基板である。空調機基板１７は、ファームウェア１７Ａおよび装置情報１７Ｂを保持する。ファームウェア１７Ａは、空調機基板１７を動作させるプログラムである。装置情報１７Ｂは、空調機１１に関する情報である。装置情報１７Ｂは、例えば、空調機１１に固有の情報、空調機１１の制御情報および空調機１１の運転情報を含むことができる。
【００１２】
空調機データ管理装置１４は、空調機保守用基板１２に書込まれるファームウェア１２Ａを管理する。空調機データ管理装置１４は、例えば、サーバである。
【００１３】
データ書換装置１３は、空調機保守用基板１２にファームウェア１２Ａを書込むとともに、空調機基板１７に保持されていた装置情報１７Ｂを装置情報１２Ｂとして空調機保守用基板１２に移行させる。データ書換装置１３は、例えば、携帯通信網に接続可能なスマートフォンなどの携帯端末である。データ書換装置１３は、近距離無線通信１５により、空調機基板１７および空調機保守用基板１２との間でデータ送受信可能である。近距離無線通信１５は、例えば、ＮＦＣ（Ｎｅａｒ  Ｆｉｅｌｄ  Ｃｏｍｍｕｎｉｃａｔｉｏｎ）（登録商標）、Ｂｌｕｅｔｏｏｔｈ（登録商標）、ＩＥＥＥ８０２．１１等の無線通信である。データ書換装置１３および空調機データ管理装置１４は、通信ネットワーク１６を介して接続されている。通信ネットワーク１６は、例えば、携帯通信網やインターネットである。
【００１４】
空調機基板１７上のプロセッサは、ファームウェア１７Ａを実行することで空調機１１を制御する。この時、空調機基板１７上のプロセッサは、空調機１１の運転状況に応じて装置情報１７Ｂを更新することができる。
【００１５】
空調機１１が故障すると、空調機基板１７を空調機保守用基板１２と交換することで、空調機１１を修理する。この時、データ書換装置１３は、空調機基板１７から装置情報１７Ｂを読取り（Ｐ１）、装置情報１７Ｂに基づいてファームウェア１２Ａを空調機データ管理装置１４から取得し（Ｐ２）、装置情報１７Ｂに対応する装置情報１２Ｂおよびファームウェア１２Ａを空調機保守用基板１２に書込む（Ｐ３、Ｐ４）。
【００１６】
空調機保守用基板１２は、装置情報１７Ｂに対応する装置情報１２Ｂをデータ書換装置１３から受信して記憶する（Ｐ３）。また、空調機保守用基板１２は、データ書換装置１３からファームウェア１２Ａを受信して記憶する（Ｐ４）。
【００１７】
これにより、空調機保守用基板１２は、電子基板に保持されていた装置情報１７Ｂに対応する装置情報１２Ｂを記憶し、装置情報１２Ｂに基づいて動作するファームウェア１２Ａを記憶することができる。このため、空調機１１が故障した場合においても、空調機１１に対応したファームウェア１２Ａを間違いなく空調機保守用基板１２に組み込むことが可能となり、保守作業の負担を軽減することが可能となるとともに、故障前の空調機１１に状態に整合させつつファームウェア１２Ａを実行させることができる。
【００１８】
図２は、図１の空調機の構成例を示すブロック図である。
図２において、空調機１１は、空調機基板１７、負荷２２および電源２３を備える。負荷２２は、ファンや圧縮機などである。電源２３は、空調機基板１７および負荷２２に電力を供給する。空調機基板１７は、電源ブロック２０Ａ、２１Ａを備える。
【００１９】
電源ブロック２０Ａは、制御部２０１、主記憶部２０３、記憶部２０２、２０４および通信部２０５を備える。制御部２０１は、空調機１１の動作制御を司るハードウェアである。制御部２０１は、例えば、マイコン（マイクロコンピュータ）である。主記憶部２０３は、制御部２０１が実行中のプログラムを格納したり、制御部２０１がプログラムを実行するためのワークエリアを設けたりすることができる。主記憶部２０３は、例えば、ＳＲＡＭ（Ｓｔａｔｉｃ  Ｒａｎｄｏｍ  Ａｃｃｅｓｓ  Ｍｅｍｏｒｙ）またはＤＲＡＭ（Ｄｙｎａｍｉｃ  Ｒａｎｄｏｍ  Ａｃｃｅｓｓ  Ｍｅｍｏｒｙ）などの半導体メモリである。記憶部２０２は、大容量の記憶容量を有する不揮発性記憶デバイスである。記憶部２０２は、例えば、ＦＬＡＳＨ−ＲＯＭである。記憶部２０２は、ファームウェア１７Ａを保持する。記憶部２０４は、記憶部２０２よりも寿命が長い不揮発性記憶デバイスである。記憶部２０４は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）である。通信部２０５は、他の空調機との通信を行う。
【００２０】
電源ブロック２１Ａは、制御部２１１、記憶部２１２および通信部２１３を備える。電源ブロック２１Ａは、電源２３からの電源供給がなくても、データ書換装置１３からの電磁波による誘導起電力により動作可能である。電源ブロック２１Ａは、例えば、ＮＦＣタグにより構成することができる。
【００２１】
制御部２１１は、データの通信および読書きを制御するハードウェアである。制御部２１１は、例えば、ロジック回路である。記憶部２１２は、データを記憶する不揮発性記憶デバイスである。記憶部２１２は、例えば、ＦｅＲＡＭ（Ｆｅｒｒｏｅｌｅｃｔｒｉｃ  Ｒａｎｄｏｍ  Ａｃｃｅｓｓ  Ｍｅｍｏｒｙ）である。記憶部２１２は、装置情報１７Ｂを保持する。装置情報１７Ｂは、記憶部２０４にも記憶してもよい。通信部２１３は、近距離無線通信を行う。通信部２１３は、データ書換装置１３からの電磁波による誘導起電力により通信可能である。
【００２２】
電源２３から電源が供給されると、制御部２０１は、記憶部２０２からファームウェア１７Ａを読出し、主記憶部２０３に展開する。そして、制御部２０１は、展開したファームウェア１７Ａを実行することで、空調機１１の動作を制御する。また、制御部２０１は、記憶部２０４に空調機データを読書きするとともに、制御部２１１を介して記憶部２１２に空調機データを読書きする。この時、制御部２０１は、記憶部２１２に記憶された装置情報１７Ｂを参照し、空調機１１の動作を制御する。また、制御部２０１は、空調機１１の運転状況に基づいて装置情報１７Ｂを更新する。空調機１１の運転状況は、例えば、空調機１１の運転時間である。
【００２３】
また、通信部２１３は、データ書換装置１３との通信を行う。そして、制御部２１１は、データ書換装置１３の要求に基づき、記憶部２１２のデータを読書きする。また、制御部２１１は、制御部２０１の要求に基づき、記憶部２１２のデータを読書きする。
【００２４】
図３は、図１のデータ書換装置の構成例を示すブロック図である。
図３において、データ書換装置１３は、制御部３１、主記憶部３２、記憶部３３、３４および通信部３５、３６を備える。
【００２５】
制御部３１は、データ書換装置１３の動作制御を司るハードウェアである。制御部３１は、例えば、マイコンである。主記憶部３２は、制御部３１が実行中のプログラムを格納したり、制御部３１がプログラムを実行するためのワークエリアを設けたりすることができる。主記憶部３２は、例えば、ＳＲＡＭまたはＤＲＡＭなどの半導体メモリである。記憶部３３は、大容量の記憶容量を有する不揮発性記憶デバイスである。記憶部３３は、例えば、ＦＬＡＳＨ−ＲＯＭである。記憶部３３は、書換プログラム３３Ａを保持する。記憶部３４は、可搬性不揮発性記憶デバイスである。記憶部３４は、データ書換装置１３に脱着可能である。記憶部３４は、例えば、ＳＤカードまたはＵＳＢメモリである。通信部３５は、通信ネットワーク１６を介して通信を行う。通信部３６は、ＮＦＣ等の近距離無線通信１５を行う。
【００２６】
制御部３１は、記憶部３３から書換プログラム３３Ａを読出し、主記憶部３２に展開する。そして、制御部３１は、展開した書換プログラム３３Ａを実行することで、データ書換装置１３の動作を制御する。この時、制御部３１は、通信部３６を介して近距離無線通信１５を行うことで、空調機基板１７および空調機保守用基板１２との間でデータを送受信する。また、制御部３１は、通信部３５を介して通信を行うことで、空調機データ管理装置１４との間でデータを送受信する。
【００２７】
制御部３１は、通信部３５による通信が可能な環境では、通信ネットワーク１６を介して空調機データ管理装置１４との間でデータを送受信することができる。制御部３１は、通信部３５による通信が不可能な環境では、記憶部３４との間でデータを読書きすることで、空調機データ管理装置１４との間でデータの受け渡しを行うことができる。
【００２８】
図４は、図１の空調機データ管理装置の構成例を示すブロック図である。
図４において、空調機データ管理装置１４は、制御部４１、主記憶部４２、通信部４３、空調機データ記憶部４４および記憶部４５を備える。
【００２９】
制御部４１は、空調機データ管理装置１４の動作制御を司るハードウェアである。制御部４１は、例えば、マイコンである。主記憶部４２は、制御部４１が実行中のプログラムを格納したり、制御部４１がプログラムを実行するためのワークエリアを設けたりすることができる。主記憶部４２は、例えば、ＳＲＡＭまたはＤＲＡＭなどの半導体メモリである。空調機データ記憶部４４は、大容量の記憶容量を有する不揮発性記憶デバイスである。空調機データ記憶部４４は、例えば、ハードディスク装置やＳＳＤ（Ｓｏｌｉｄ  Ｓｔａｔｅ  Ｄｒｉｖｅ）である。空調機データ記憶部４４は、空調機１１のファームウェア４４１および空調機設置情報４４２を記憶する。空調機設置情報４４２は、空調機１１の設置位置に関する情報の他、空調機１１の故障を示す故障フラグを保持することができる。さらに、空調機設置情報４４２は、空調機１１の装置情報１７Ｂも保持することができる。記憶部４５は、可搬性不揮発性記憶デバイスである。記憶部４５は、空調機データ管理装置１４に脱着可能である。記憶部４５は、例えば、ＳＤカードまたはＵＳＢメモリである。通信部４３は、通信ネットワーク１６を介して通信を行う。この時、制御部４１は、通信部４３を介して通信を行うことで、データ書換装置１３との間でデータを送受信する。
【００３０】
制御部４１は、通信部４３による通信が可能な環境では、通信ネットワーク１６を介してデータ書換装置１３との間でデータを送受信することができる。制御部４１は、通信部４３による通信が不可能な環境では、記憶部４５との間でデータを読書きすることで、データ書換装置１３との間でデータの受け渡しを行うことができる。
【００３１】
図５は、図１の装置情報の構成例を示す図である。
図５において、装置情報１７Ｂは、空調機基板１７ごとの個別の値を示すＩＤ、空調機１１の装置型式、空調機１１のシリアル番号である装置番号、装置型式ごとの制御情報であるファン制御パラメータＦ１、Ｆ２、アクチュエータパラメータＡ１、Ａ２、空調機１１の累積運転時間、エラー発生回数、記憶部２０２に記録したファームウェアバージョン等を含む。
【００３２】
各情報は読書属性が設定可能であり、ＩＤは書換不可な領域に記録されている。ファン制御パラメータＦ１、Ｆ２およびアクチュエータパラメータＡ１、Ａ２は、空調機１１の装置型式、装置番号、装置型式ごとに指定することができる。ファン制御パラメータＦ１、Ｆ２およびアクチュエータパラメータＡ１、Ａ２は、制御情報であり、初回に一度書き込むだけでよく、例えば、製品出荷時等に記録される。累積運転時間およびエラー発生回数は、空調機運転時に定期的に更新される。
【００３３】
図６は、図１の空調機基板からのデータ読取りシーケンスを示す図である。
図６において、制御部２０１は、空調機１１の動作中に、記憶部２１２に格納されている装置情報１７Ｂの累積運転時間およびエラー発生回数等を適宜更新する（Ｓ６０１）。
【００３４】
次に、空調機１１が故障したものとする（Ｓ６０２）。この時、空調機１１の故障前の状態は装置情報１７Ｂに記録されている。空調機１１が故障すると、保守員は、空調機保守用基板１２およびデータ書換装置１３を持って空調機１１に設置場所に移動する。
【００３５】
次に、データ書換装置１３は、空調機１１の電源ブロック２１Ａに通信接続する（Ｓ６０３）。次に、空調機１１の電源ブロック２１Ａは、データ書換装置１３の誘導起電力により動作し、データ書換装置１３に応答する（Ｓ６０４）。この時、電源ブロック２１Ａは、データ書換装置１３の誘導起電力により動作することで、空調機１１の故障により電源２３から給電できない場合においても、データ書換装置１３に応答することができる。
【００３６】
次に、データ書換装置１３は、記憶部２１２に記憶された空調機基板１７のＩＤを電源ブロック２１Ａに問い合わせる（Ｓ６０５）。次に、電源ブロック２１Ａは、空調機基板１７のＩＤをデータ書換装置１３に応答する（Ｓ６０６）。
【００３７】
次に、データ書換装置１３は、空調機基板１７のＩＤを空調機データ管理装置１４に送信する（Ｓ６０７）。この時、空調機基板１７のＩＤを持つ空調機１１が故障したことを空調機データ管理装置１４に通知することができる。次に、空調機データ管理装置１４は、空調機データ記憶部４４に記録されている空調機設置情報４４２のうち、受信したＩＤに対応する空調機１１の状態を故障状態に変更する（Ｓ６０８）。次に、空調機データ管理装置１４は、空調機１１の状態を変更したことをデータ書換装置１３に応答する（Ｓ６０９）。
【００３８】
次に、データ書換装置１３は、記憶部２１２に記憶された装置情報１７Ｂを電源ブロック２１Ａに問い合わせる（Ｓ６１０）。次に、電源ブロック２１Ａは、装置情報１７Ｂをデータ書換装置１３に応答する（Ｓ６１１）。
【００３９】
次に、データ書換装置１３は、電源ブロック２１Ａから取得した装置情報１７Ｂを空調機データ管理装置１４に通知する（Ｓ６１２）。次に、空調機データ管理装置１４は、Ｓ６０７で取得したＩＤに対応する空調機設置情報４４２の該当する空調機１１の装置情報１７Ｂを更新する（Ｓ６１３）。次に、空調機データ管理装置１４は、装置情報１７Ｂを更新したことをデータ書換装置１３に応答する（Ｓ６１４）。
【００４０】
以上により、故障した空調機１１とデータ書換装置１３と空調機データ管理装置１４の間で通信を行うことにより、データ書換装置１３は、故障した空調機１１の装置情報１７Ｂを読出し、空調機データ管理装置１４で管理する空調機設置情報４４２を更新することができ、空調機データ管理装置１４は、空調機１１の故障状態を一元管理することができる。また、空調機１１の電源ブロック２１Ａは、データ書換装置１３が送信する電磁波を用いて誘導起電力により動作することができ、データ書換装置１３は、空調機１１が故障で動作しない場合でも、装置情報１７Ｂを読み出すことができる。
【００４１】
図７は、図１の空調機保守用基板へのデータ書込みシーケンスを示す図である。
図７において、空調機保守用基板１２は、電源ブロック２０Ｂ、２１Ｂを備える。電源ブロック２０Ｂ、２１Ｂは、図２の空調機基板１７の電源ブロック２０Ａ、２１Ａとそれぞれ同様に構成することができる。
【００４２】
データ書換装置１３は、空調機保守用基板１２の電源ブロック２１Ｂに通信接続する（Ｓ６２１）。次に、空調機保守用基板１２の電源ブロック２１Ｂは、データ書換装置１３の誘導起電力により動作し、データ書換装置１３に応答する（Ｓ６２２）。
【００４３】
次に、データ書換装置１３は、空調機保守用基板１２のＩＤを電源ブロック２１Ｂに問い合わせる（Ｓ６２３）。次に、空調機保守用基板１２の電源ブロック２１Ｂは、空調機保守用基板１２のＩＤをデータ書換装置１３に応答する（Ｓ６２４）。
【００４４】
次に、データ書換装置１３は、空調機保守用基板１２のＩＤを空調機データ管理装置１４に送信する（Ｓ６２５）。この時、データ書換装置１３が取得したＩＤを持つ空調機保守用基板１２に交換することを空調機データ管理装置１４に通知することができる。次に、空調機データ管理装置１４は、図６のＳ６０７で取得した空調機基板１７のＩＤに対応する空調機の装置情報を、Ｓ６２５で取得した空調機保守用基板１２のＩＤに対応づける変更を行う（Ｓ６２６）。次に、空調機データ管理装置１４は、ＩＤの括り付けを変更したことをデータ書換装置１３に応答する（Ｓ６２７）。
【００４５】
次に、データ書換装置１３は、図６のＳ６１１で取得した空調機基板１７の装置情報１７Ｂを装置情報１２Ｂとして空調機保守用基板１２の電源ブロック２１Ｂの記憶部に書き込む（Ｓ６２８）。次に、電源ブロック２１Ｂは、装置情報１２Ｂの書込み済をデータ書換装置１３に応答する（Ｓ６２９）。
【００４６】
次に、データ書換装置１３は、図６のＳ６１１で取得した空調機基板１７の装置情報１７Ｂに記録された装置型式に対応するファームウェアを空調機データ管理装置１４に問い合わせる（Ｓ６３０）。次に、空調機データ管理装置１４は、その装置型式に対応する最新のファームウェアとバージョン番号をデータ書換装置１３に応答する（Ｓ６３１）。
【００４７】
次に、空調機保守用基板１２は、故障した空調機１１の空調機基板１７と交換されて空調機１１に組み込まれ、通電される（Ｓ６３２）。次に、空調機保守用基板１２は、初期起動を行う（Ｓ６３３）。初期起動の際、電源ブロック２０Ｂは、電源ブロック２１Ｂの記憶部より装置情報１２Ｂを読出し（Ｓ６３４）、装置情報１２Ｂに従って動作する。
【００４８】
次に、データ書換装置１３は、Ｓ６３１で取得したファームウェア１２Ａを空調機保守用基板１２の電源ブロック２１Ｂに送信する。空調機保守用基板１２の電源ブロック２１Ｂは、電源ブロック２１Ｂの通信部を介してファームウェア１２Ａを受信し、電源ブロック２１Ｂの制御部から電源ブロック２０Ｂの制御部に送信する（Ｓ６３５）。
【００４９】
次に、電源ブロック２０Ｂの制御部は、電源ブロック２１Ｂから受信したファームウェア１２Ａを電源ブロック２０Ｂの記憶部に記録する（Ｓ６３６）。次に、電源ブロック２０Ｂの制御部は、ファームウェア１２Ａの受信が完了したら、再起動を行う（Ｓ６３７）。
【００５０】
再起動後、電源ブロック２０Ｂの制御部は、電源ブロック２１Ｂの制御部を介し、例えば、ファームウェア１２Ａのバージョン番号を含む装置情報１２Ｂを更新する（Ｓ６３８）。次に、データ書換装置１３は、電源ブロック２１Ｂの記憶部に記憶された装置情報１２Ｂを問い合わせる（Ｓ６３９）。次に、電源ブロック２１Ｂは、装置情報１２Ｂをデータ書換装置１３に応答する（Ｓ６４０）。
【００５１】
次に、データ書換装置１３は、電源ブロック２１Ｂから取得した装置情報１２Ｂを空調機データ管理装置１４に通知する（Ｓ６４１）。次に、空調機データ管理装置１４は、Ｓ６２５で取得した空調機保守用基板１２のＩＤに対応する空調機設置情報４４２の該当する空調機１１の装置情報１２Ｂを更新する（Ｓ６４２）。次に、空調機データ管理装置１４は、装置情報１２Ｂを更新したことをデータ書換装置１３に応答する（Ｓ６４３）。
【００５２】
以上により、故障した空調機１１の装置情報１７Ｂを交換後の空調機保守用基板１２に引き継ぐことができる。空調機保守用基板１２の電源ブロック２１Ｂは、データ書換装置１３が送信する電磁波を用いて誘導起電力により動作することにより、空調機保守用基板１２に電源が供給されていない場合でも、装置情報１２Ｂを書き込むことができる。故障した空調機１１の装置情報１７Ｂを装置情報１２Ｂとして空調機保守用基板１２に引き継ぐことにより、装置情報１２Ｂに記録された装置型式や制御情報に従って、故障前と同じ条件で空調機１１を動作させることができる。
【００５３】
図８は、図１のデータ書換装置のデータ読取り時の動作を示すフローチャートである。
図８において、データ書換装置１３は、空調機基板１７の電源ブロック２１Ａに通信接続する（Ｓ７０１）。
【００５４】
次に、データ書換装置１３は、空調機基板１７の応答が対象装置か否かを確認する（Ｓ７０２）。対象装置か否かは、例えば、通信プロトコルの一致により確認することができる。データ書換装置１３は、Ｓ７０２で対象装置であると判断したら、空調機基板１７のＩＤを電源ブロック２１Ａに問い合わせる（Ｓ７０３）。
【００５５】
次に、データ書換装置１３は、電源ブロック２１Ａから受信したＩＤが、予め管理された所定のＩＤであるか確認する（Ｓ７０４）。データ書換装置１３は、Ｓ７０４で正しいＩＤであると判断したら、該当のＩＤを持つ空調機１１が故障したことを空調機データ管理装置１４に通知する（Ｓ７０５）。次に、データ書換装置１３は、空調機１１の装置情報１７Ｂを電源ブロック２１Ａに問い合わせる（Ｓ７０６）。
【００５６】
次に、データ書換装置１３は、電源ブロック２１Ａから取得した装置情報１７Ｂが正しいか確認する（Ｓ７０７）。例えば、データ書換装置１３は、ＣＲＣ（Ｃｙｃｌｉｃ  Ｒｅｄｕｎｄａｎｃｙ  Ｃｈｅｃｋ）等により、装置情報１７Ｂの内容が正しいかを確認する。一方、Ｓ７０２、Ｓ７０４またはＳ７０７で正しい情報を受信できない場合、データ書換装置１３の表示画面（図示せず）にエラー通知を行い、処理を終了する（Ｓ７０８）。
【００５７】
図９は、図１のデータ書換装置のデータ書込み時の動作を示すフローチャートである。
図９において、データ書換装置１３は、空調機保守用基板１２の電源ブロック２１Ｂに通信接続する（Ｓ７１０）。
【００５８】
次に、データ書換装置１３は、空調機保守用基板１２の応答が対象装置であるか否かを確認する（Ｓ７１１）。対象装置か否かは、例えば、通信プロトコルの一致により確認することができる。データ書換装置１３は、Ｓ７１１で対象装置であると判断したら、空調機保守用基板１２のＩＤを電源ブロック２１Ｂに問い合わせる（Ｓ７１２）。
【００５９】
次に、データ書換装置１３は、電源ブロック２１Ｂから受信したＩＤが、予め管理された所定のＩＤであるか確認する（Ｓ７１３）。データ書換装置１３は、Ｓ７１３で正しいＩＤであると判断したら、該当のＩＤを持つ空調保守用基板１２に交換することを空調機データ管理装置１４に通知する（Ｓ７１４）。次に、データ書換装置１３は、図８のＳ７０６で取得した装置情報１７Ｂを装置情報１２Ｂとして空調機保守用基板１２の電源ブロック２１Ｂの記憶部に書込む（Ｓ７１５）。
【００６０】
次に、データ書換装置１３は、Ｓ７０６で取得した装置情報１７Ｂに記録された装置型式に対応するファームウェア１２Ａを空調機データ管理装置１４に問い合わせる（Ｓ７１６）。次に、データ書換装置１３は、図７のＳ６３１で取得したファームウェア１２Ａを空調機保守用基板１２に送信する（Ｓ７１７）。
【００６１】
次に、データ書換装置１３は、ファームウェア１２Ａの送信が完了し、空調機保守用基板１２が組み込まれた空調機１１が再起動したら、空調機１１の装置情報１２Ｂを電源ブロック２１Ｂに問い合わせる（Ｓ７１８）。次に、データ書換装置１３は、電源ブロック２１Ｂから取得した装置情報１２Ｂが正しいか確認する。例えば、データ書換装置１３は、ＣＲＣ等により、装置情報１２Ｂの内容が正しいかを確認する。
【００６２】
データ書換装置１３は、Ｓ７１９で装置情報１２Ｂが正しいと判断したら、電源ブロック２１Ｂから取得した装置情報１２Ｂを空調機データ管理装置１４に通知する（Ｓ７２０）。一方、Ｓ７１１、Ｓ７１３またはＳ７１９で正しい情報を受信できない場合、データ書換装置１３の表示画面（図示せず）にエラー通知を行い、処理を終了する（Ｓ７２１）。
【００６３】
図１０は、図１の空調機の故障時の動作を示すフローチャートである。
図１０において、空調機１１は、通常動作を行う（Ｓ８０１）。次に、図２の制御部２０１は、空調機１１の故障が発生したか否かを判断する（Ｓ８０２）。空調機１１の故障が発生してない場合、制御部２０１は、装置情報１７Ｂの更新タイミングか否かを確認する（Ｓ８０３）。
【００６４】
装置情報１７Ｂの更新タイミングの場合、制御部２０１は、制御部２１１を介し記憶部２１２に記録された装置情報１７Ｂの累積運転時間およびエラー発生回数等を更新し（Ｓ８０４）、Ｓ８０１に戻る。
【００６５】
一方、装置情報１７Ｂの更新タイミングでない場合、制御部２０１は、例えば、通信エラー等のエラーが発生したか確認する（Ｓ８０５）。エラーがなければ、Ｓ８０１に戻る。エラーがあれば、Ｓ８０４に進む。
【００６６】
Ｓ８０２で空調機１１の故障が発生した場合、空調機１１は、動作を停止する（Ｓ８０６）。次に、空調機１１の電源ブロック２１Ａは、データ書換装置１３と通信接続し、データ書換装置１３から空調機基板１７のＩＤの問い合わせを受ける（Ｓ８０７）。
【００６７】
次に、電源ブロック２１Ａは、データ書換装置１３の送信が対象装置か否かを確認する（Ｓ８０８）。対象装置か否かは、例えば、通信プロトコルの一致により確認することができる。データ書換装置１３の送信が対象装置でなければ、処理を終了する。
【００６８】
一方、データ書換装置１３の送信が対象装置であれば、電源ブロック２１Ａは、空調機基板１７のＩＤをデータ書換装置１３に応答する（Ｓ８０９）。次に、電源ブロック２１Ａは、データ書換装置１３からの装置情報１７Ｂの問い合わせに応答する（Ｓ８１０）。
【００６９】
図１１は、図１の空調機の基板交換時の動作を示すフローチャートである。
図１１において、空調機保守用基板１２は、故障した空調機１１の空調機基板１７と交換され、空調機１１に組み込まれ、通電された後、初期起動を行う（Ｓ８２０）。次に、電源ブロック２０Ｂの制御部は、電源ブロック２１Ｂの記憶部より装置情報１２Ｂを読出す（Ｓ８２１）。
【００７０】
次に、電源ブロック２０Ｂの制御部は、読み出した装置情報１２Ｂに記録された制御情報に従って動作する（Ｓ８２２）。次に、電源ブロック２０Ｂの制御部は、電源ブロック２１Ｂを介しデータ書換装置１３からファームウェアを受信する（Ｓ８２３）。
【００７１】
次に、電源ブロック２０Ｂの制御部は、データ書換装置１３から受信したファームウェアが現在記録されているファームウェアより新しく更新が必要か否かを判断する（Ｓ８２４）。ファームウェアの更新が不要ならＳ８３０に進む。一方、ファームウェアの更新が必要なら、データ書換装置１３からファームウェアを受信する（Ｓ８２５）。
【００７２】
次に、電源ブロック２０Ｂの制御部は、ファームウェアの受信が終了したか否か判断する（Ｓ８２６）。ファームウェアの受信が終了していなければ、Ｓ８２５に戻る。一方、ファームウェアの受信が完了したら、電源ブロック２０Ｂの再起動を行う（Ｓ８２７）。
【００７３】
電源ブロック２０Ｂの再起動後、電源ブロック２０Ｂの制御部は、電源ブロック２１Ｂの記憶部より装置情報１２Ｂを読出す（Ｓ８２８）。次に、電源ブロック２０Ｂの制御部は、読出した装置情報１２Ｂに記録された制御情報に従って動作する（Ｓ８２９）。
【００７４】
次に、電源ブロック２０Ｂの制御部は、例えば、ファームウェアのバージョン番号を含む装置情報１２Ｂを更新する（Ｓ８３０）。次に、電源ブロック２１Ｂは、電源ブロック２１Ｂの記憶部に記憶された装置情報１２Ｂの問い合わせをデータ書換装置１３から受け付ける（Ｓ８３１）。次に、電源ブロック２１Ｂは、装置情報１２Ｂをデータ書換装置１３に応答する（Ｓ８３２）。
【００７５】
以下の第２実施形態では、データ書換装置１３に関し、携帯通信網につながらない地域での基板交換を行う方法について説明する。なお、第２実施形態の保守システムは、第１実施形態の保守システムと同様に構成することができる。
【００７６】
図１２は、第２実施形態に係る保守システムの空調機基板からのデータ読取りシーケンスを示す図である。
図１２において、データ書換装置１３は、故障した空調機１１の設置情報を基に装置型式を問い合わせる（Ｓ９０１）。この時、保守員は、空調機１１の故障の連絡を受けた時に、故障した空調機１１の設置情報を聞き出すことができる。そして、保守員は、故障した空調機１１の設置情報をデータ書換装置１３に入力することができる。次に、空調機データ管理装置１４は、空調機１１の設置情報に対応する型式情報をデータ書換装置１３に応答する（Ｓ９０２）。
【００７７】
次に、データ書換装置１３は、取得した型式情報に対応するファームウェアを空調機データ管理装置１４に問い合わせる（Ｓ９０３）。次に、空調機データ管理装置１４は、その型式情報に対応する最新のファームウェアとバージョン番号をデータ書換装置１３に応答する（Ｓ９０４）。
【００７８】
なお、データ書換装置１３が空調機データ管理装置１４からファームウェアを取得するために、図３の記憶部３４および図４の記憶部４５を用いるようにしてもよい。図３の記憶部３４および図４の記憶部４５として、ＳＤカードを用いることができる。この時、ＳＤカードを空調機データ管理装置１４に装着し、そのＳＤカードにファームウェアを書き出す。次に、ファームウェアを書き出したＳＤカードを空調機データ管理装置１４から取り外し、そのＳＤカードをデータ書換装置１３に装着し、そのＳＤカードからデータ書換装置１３にファームウェアを書き出すことができる。
【００７９】
次に、保守員は、空調機保守用基板１２およびデータ書換装置１３を持って空調機１１の設置場所に移動する。次に、データ書換装置１３は、空調機１１の電源ブロック２１Ａに通信接続する（Ｓ９０５）。次に、空調機１１の電源ブロック２１Ａは、データ書換装置１３の誘導起電力により動作し、データ書換装置１３に応答する（Ｓ９０６）。
【００８０】
次に、データ書換装置１３は、電源ブロック２１Ａの記憶部２１２に記憶された空調機基板１７のＩＤを電源ブロック２１Ａに問い合わせる（Ｓ９０７）。次に、電源ブロック２１Ａは、空調機基板１７のＩＤをデータ書換装置１３に応答する（Ｓ９０８）。
【００８１】
次に、データ書換装置１３は、記憶部２１２に記憶された装置情報１７Ｂを電源ブロック２１Ａに問い合わせる（Ｓ９０９）。次に、電源ブロック２１Ａは、装置情報１７Ｂをデータ書換装置１３に応答する（Ｓ９１０）。
【００８２】
図１３は、第２実施形態に係る保守システムの空調機保守用基板へのデータ書込みシーケンスを示す図である。
図１３において、データ書換装置１３は、空調機保守用基板１２の電源ブロック２１Ｂに通信接続する（Ｓ９２０）。次に、空調機保守用基板１２の電源ブロック２１Ｂは、データ書換装置１３の誘導起電力により動作し、データ書換装置１３に応答する（Ｓ９２１）。
【００８３】
次に、データ書換装置１３は、空調機保守用基板１２のＩＤを電源ブロック２１Ｂに問い合わせる（Ｓ９２２）。次に、空調機保守用基板１２の電源ブロック２１Ｂは、空調機保守用基板１２のＩＤをデータ書換装置１３に応答する（Ｓ９２３）。
【００８４】
次に、データ書換装置１３は、図１２のＳ９１０で取得した空調機基板１７の装置情報１７Ｂを装置情報１２Ｂとして空調機保守用基板１２の電源ブロック２１Ｂの記憶部に書き込む（Ｓ９２４）。次に、電源ブロック２１Ｂは、装置情報１２Ｂの書込み済をデータ書換装置１３に応答する（Ｓ９２５）。
【００８５】
次に、空調機保守用基板１２は、故障した空調機１１の空調機基板１７と交換されて空調機１１に組み込まれ、通電される（Ｓ９２６）。次に、空調機保守用基板１２は、初期起動を行う（Ｓ９２７）。初期起動の際、電源ブロック２０Ｂは、電源ブロック２１Ｂの記憶部より装置情報１２Ｂを読出し（Ｓ９２８）、装置情報１２Ｂに従って動作する。
【００８６】
次に、データ書換装置１３は、図１２のＳ９０４で取得したファームウェア１２Ａを空調機保守用基板１２の電源ブロック２１Ｂに送信する。空調機保守用基板１２の電源ブロック２１Ｂは、電源ブロック２１Ｂの通信部を介してファームウェア１２Ａを受信し、電源ブロック２１Ｂの制御部から電源ブロック２０Ｂの制御部に送信する（Ｓ９２９）。
【００８７】
次に、電源ブロック２０Ｂの制御部は、電源ブロック２１Ｂから受信したファームウェア１２Ａを電源ブロック２０Ｂの記憶部に記録する（Ｓ９３０）。次に、電源ブロック２０Ｂの制御部は、ファームウェア１２Ａの受信が完了したら、再起動を行う（Ｓ９３１）。
【００８８】
再起動後、電源ブロック２０Ｂの制御部は、電源ブロック２１Ｂの制御部を介し、例えば、ファームウェア１２Ａのバージョン番号を含む装置情報１２Ｂを更新する（Ｓ９３２）。次に、データ書換装置１３は、電源ブロック２１Ｂの記憶部に記憶された装置情報１２Ｂを問い合わせる（Ｓ９３３）。次に、電源ブロック２１Ｂは、装置情報１２Ｂをデータ書換装置１３に応答する（Ｓ９３４）。
【００８９】
図１４は、第２実施形態に係る保守システムの空調機データ管理装置へのデータ書込みシーケンスを示す図である。なお、図１４の処理は、図６のＳ６０９、Ｓ６１３、Ｓ６２６およびＳ６４２の処理を空調機１１の基板交換作業後に実行する。
【００９０】
図１４において、データ書換装置１３は、図１２のＳ９０８で取得したＩＤを持つ空調機が故障したことを空調機データ管理装置１４に通知する（Ｓ９５０）。次に、空調機データ管理装置１４は、空調機データ記憶部４４に記録されている空調機設置情報４４２のうち、受信したＩＤに対応する空調機１１の状態を故障状態に変更する（Ｓ９５１）。次に、空調機データ管理装置１４は、空調機１１の状態を変更したことをデータ書換装置１３に応答する（Ｓ９５２）。
【００９１】
次に、データ書換装置１３は、図１２のＳ９１０で取得した装置情報１７Ｂを空調機データ管理装置１４に通知する（Ｓ９５３）。次に、空調機データ管理装置１４は、Ｓ９５０で取得したＩＤに対応する空調機設置情報４４２の該当する空調機１１の装置情報１７Ｂを更新する（Ｓ９５４）。次に、空調機データ管理装置１４は、装置情報１７Ｂを更新したことをデータ書換装置１３に応答する（Ｓ９５５）。
【００９２】
次に、データ書換装置１３は、図１３のＳ９２３で取得したＩＤを持つ空調保守基板１２に交換したことを空調機データ管理装置１４に通知する（Ｓ９５６）。次に、空調機データ管理装置１４は、Ｓ９５０で取得した空調機基板１７のＩＤに対応する空調機１１の装置情報を、Ｓ９５６で取得した空調機保守用基板１２のＩＤに対応づける変更を行う（Ｓ９５７）。次に、空調機データ管理装置１４は、ＩＤの括り付けを変更したことをデータ書換装置１３に応答する（Ｓ９５８）。
【００９３】
次に、データ書換装置１３は、図１３のＳ９３４で取得した装置情報１２Ｂを空調機データ管理装置１４に通知する（Ｓ９５９）。次に、空調機データ管理装置１４は、Ｓ９５６で取得した空調機保守用基板１２のＩＤに対応する空調機設置情報４４２の該当する空調機１１の装置情報１２Ｂを更新する（Ｓ９６０）。次に、空調機データ管理装置１４は、装置情報１２Ｂを更新したことをデータ書換装置１３に応答する（Ｓ９６１）。
【００９４】
図１５は、第３実施形態に係る保守システムの空調機の構成例を示すブロック図である。
図１５の空調機１１は、図２の空調機基板１７の代わりに空調機基板１１７を備える。空調機基板１１７は、電源ブロック２０Ｃ、２１Ａを備える。電源ブロック２０Ｃは、図２の電源ブロック２０Ａに通信部２１４が追加されている。通信部２１４は、Ｂｌｕｅｔｏｏｔｈなどの近距離無線通信を行う。通信部２１３は、電磁波を用いた誘導起電力により動作するのに対し、通信部２１４は、電源２３から供給される電力により動作する。通信部２１４は、通信部２１３よりも高速通信が可能である。
【００９５】
図１６は、第３実施形態に係る保守システムのデータ書換装置の構成例を示すブロック図である。
図１６のデータ書換装置１１３は、図３のデータ書換装置１３に通信部３７が追加されている。通信部３７は、Ｂｌｕｅｔｏｏｔｈなどの近距離無線通信を行う。通信部３７は、通信部３６よりも高速通信が可能である。
【００９６】
図１７は、第３実施形態に係る保守システムの空調機保守用基板へのデータ書込みシーケンスを示す図である。なお、図１５の空調機基板１１７からデータを読取る場合、空調機基板１１７およびデータ書換装置１１３は、図６の処理と同様の処理を行う。一方、図１５の空調機基板１１７と交換される空調機保守用基板１１２にデータを書込む場合、空調機保守用基板１１２およびデータ書換装置１１３は、以下の図１７の処理を行う。
【００９７】
図１７において、空調機保守用基板１１２は、電源ブロック２０Ｄ、２１Ｂを備える。電源ブロック２０Ｄは、図１５の空調機基板１１７の電源ブロック２０Ｃと同様に構成することができる。
【００９８】
電源ブロック２０Ｄは、図７のＳ６３５の代わりにＳ６３５Ａの処理を実行する。電源ブロック２０Ｄは、Ｓ６３５Ａ以外の処理は、図７の電源ブロック２０Ｂと同様の処理を実行する。
【００９９】
データ書換装置１３は、Ｓ６３１で取得したファームウェア１２Ａを空調機保守用基板１１２の電源ブロック２０Ｄに送信する（Ｓ６３５Ａ）。次に、空調機保守用基板１１２の電源ブロック２０Ｄの制御部は、データ書換装置１３から受信したファームウェア１２Ａを電源ブロック２０Ｄの記憶部に記録する（Ｓ６３６）。
【０１００】
以上により、データ書換装置１３は、電源ブロック２１Ｂを経由させることなく、空調機保守用基板１１２の電源ブロック２０Ｄにファームウェア１２Ａを書込むことができる。このため、データ書換装置１３は、図７のファームウェア１２Ａの書込方法に比べて、ファームウェア１２Ａの書込みの高速化を図ることができる。
【０１０１】
なお、上述した実施形態では、空調機に用いられる基板のデータ書込方法を例にとって説明したが、給湯器に用いられる基板のデータ書込方法に適用してもよいし、その他の電子機器に用いられる基板のデータ書込方法に適用してもよい。
【符号の説明】
【０１０２】
１１  空調機、１２  空調機保守用基板、１３  データ書換装置、１４  空調機データ管理装置、１５  近距離無線通信、１６  通信ネットワーク
【図１】
2020003379.tif 000003
【図２】
2020003379.tif 000004
【図３】
2020003379.tif 000005
【図４】
2020003379.tif 000006
【図５】
2020003379.tif 000007
【図６】
2020003379.tif 000008
【図７】
2020003379.tif 000009
【図８】
2020003379.tif 000010
【図９】
2020003379.tif 000011
【図１０】
2020003379.tif 000012
【図１１】
2020003379.tif 000013
【図１２】
2020003379.tif 000014
【図１３】
2020003379.tif 000015
【図１４】
2020003379.tif 000016
【図１５】
2020003379.tif 000017
【図１６】
2020003379.tif 000018
【図１７】
2020003379.tif 000019
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
電子基板と交換可能な保守用基板に書込まれるファームウェアを管理するデータ管理装置と、
前記電子基板に保持されている所定の情報の読み取り結果に基づいて、前記保守用基板に前記ファームウェアを書込むとともに、前記所定の情報を前記保守用基板に移行させるデータ書換装置を備える保守システム。
【請求項２】
前記所定の情報は、前記電子基板が搭載されていた機器に関する情報である請求項１に記載の保守システム。
【請求項３】
前記保守用基板は、
前記データ書換装置からの給電に基づいて前記情報を受信して記憶し、
前記データ書換装置からの給電に基づいて前記ファームウェアを受信し、
前記機器からの給電に基づいて前記ファームウェアを記憶する請求項２に記載の保守システム。
【請求項４】
前記データ書換装置は、
前記電子基板から前記情報を読取り、
前記情報に基づいて前記ファームウェアを前記データ管理装置から取得し、
前記情報および前記ファームウェアを前記保守用基板に書込む請求項２に記載の保守システム。
【請求項５】
前記機器は、空調機または給湯器である請求項２に記載の保守システム。
【請求項６】
交換可能な電子基板に保持されていた所定の情報を記憶し、
前記所定の情報に基づいて動作するファームウェアを記憶し、
前記所定の情報は、前記ファームウェアの動作に基づいて更新される情報を含む保守用基板。
【請求項７】
前記所定の情報は、前記電子基板が搭載されていた機器に関する情報である請求項６に記載の保守用基板。
【請求項８】
前記情報の送信側からの給電に基づいて前記情報を記憶し、
前記機器からの給電に基づいて前記ファームウェアを記憶する請求項７に記載の保守用基板。
【請求項９】
前記情報の送信側からの給電に基づいて前記ファームウェアを受信し、
前記機器からの給電に基づいて前記ファームウェアを記憶する請求項７に記載の保守用基板。
【請求項１０】
前記機器は、空調機または給湯器である請求項７に記載の保守用基板。
【請求項１１】
携帯端末を用いたデータ書込方法であって、
前記携帯端末は、
電子基板に保持されている所定の情報を前記電子基板から読取り、
前記電子基板と交換される保守用基板に前記所定の情報を書込み、
前記電子基板に保持されている前記所定の情報の読み取り結果に基づいて、前記所定の情報に基づいて動作するファームウェアを前記保守用基板に書込むデータ書込方法。
【請求項１２】
前記携帯端末は、
前記携帯端末から前記電子基板への給電に基づいて、前記電子基板から前記所定の情報を読取り、
前記携帯端末から前記保守用基板への給電に基づいて、前記保守用基板に前記所定の情報を書込む請求項１１に記載のデータ書込方法。
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
電子基板と交換可能な保守用基板に書込まれるファームウェアを管理するデータ管理装置と、
前記電子基板に保持されている所定の情報の読み取り結果に基づいて、前記所定の情報を前記保守用基板に書込むとともに、前記所定の情報の書込みに対する前記保守用基板からの応答に基づいて、前記保守用基板に前記ファームウェアを書込むデータ書換装置を備える保守システム。
【請求項２】
前記所定の情報は、前記電子基板が搭載されていた機器に関する情報である請求項１に記載の保守システム。
【請求項３】
前記保守用基板は、
前記データ書換装置からの給電に基づいて前記情報を受信して記憶し、
前記データ書換装置からの給電に基づいて前記ファームウェアを受信し、
前記機器からの給電に基づいて前記ファームウェアを記憶する請求項２に記載の保守システム。
【請求項４】
前記データ書換装置は、
前記電子基板から前記情報を読取り、
前記情報に基づいて前記ファームウェアを前記データ管理装置から取得し、
前記情報および前記ファームウェアを前記保守用基板に書込む請求項２に記載の保守システム。
【請求項５】
前記機器は、空調機または給湯器である請求項２に記載の保守システム。
【請求項６】
交換可能な電子基板に保持されていた所定の情報を記憶し、
前記所定の情報に基づいて動作するファームウェアを記憶し、
前記所定の情報は、前記ファームウェアの動作に基づいて更新される情報を含む保守用基板。
【請求項７】
前記所定の情報は、前記電子基板が搭載されていた機器に関する情報である請求項６に記載の保守用基板。
【請求項８】
前記情報の送信側からの給電に基づいて前記情報を記憶し、
前記機器からの給電に基づいて前記ファームウェアを記憶する請求項７に記載の保守用基板。
【請求項９】
前記情報の送信側からの給電に基づいて前記ファームウェアを受信し、
前記機器からの給電に基づいて前記ファームウェアを記憶する請求項７に記載の保守用基板。
【請求項１０】
前記機器は、空調機または給湯器である請求項７に記載の保守用基板。
【請求項１１】
携帯端末を用いたデータ書込方法であって、
前記携帯端末は、
電子基板に保持されている所定の情報を前記電子基板から読取り、
前記電子基板と交換される保守用基板に前記所定の情報を書込み、
前記所定の情報の書込みに対する前記保守用基板からの応答に基づいて、前記所定の情報に基づいて動作するファームウェアを前記保守用基板に書込むデータ書込方法。
【請求項１２】
前記携帯端末は、
前記携帯端末から前記電子基板への給電に基づいて、前記電子基板から前記所定の情報を読取り、
前記携帯端末から前記保守用基板への給電に基づいて、前記保守用基板に前記所定の情報を書込む請求項１１に記載のデータ書込方法。
【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
電子基板と交換可能な保守用基板に書込まれるファームウェアを管理するデータ管理装置と、
前記電子基板に保持されている所定の情報の読み取り結果に基づいて、前記所定の情報を前記保守用基板に書込むとともに、前記保守用基板に書込まれる前記所定の情報に基づいて前記ファームウェアを取得し、前記取得したファームウェアを前記保守用基板に書込むデータ書換装置を備える保守システム。
【請求項２】
前記所定の情報は、前記電子基板が搭載されていた機器に関する情報である請求項１に記載の保守システム。
【請求項３】
前記保守用基板は、
前記データ書換装置からの給電に基づいて前記情報を受信して記憶し、
前記データ書換装置からの給電に基づいて前記ファームウェアを受信し、
前記機器からの給電に基づいて前記ファームウェアを記憶する請求項２に記載の保守システム。
【請求項４】
前記データ書換装置は、
前記電子基板から前記情報を読取り、
前記情報に基づいて前記ファームウェアを前記データ管理装置から取得し、
前記情報および前記ファームウェアを前記保守用基板に書込む請求項２に記載の保守システム。
【請求項５】
前記機器は、空調機または給湯器である請求項２に記載の保守システム。
【請求項６】
交換可能な電子基板に保持されていた所定の情報を記憶し、
前記電子基板に保持されていた所定の情報に基づいて取得されたファームウェアを記憶し、
前記所定の情報は、前記ファームウェアの動作に基づいて更新される情報を含む保守用基板。
【請求項７】
前記所定の情報は、前記電子基板が搭載されていた機器に関する情報である請求項６に記載の保守用基板。
【請求項８】
前記情報の送信側からの給電に基づいて前記情報を記憶し、
前記機器からの給電に基づいて前記ファームウェアを記憶する請求項７に記載の保守用基板。
【請求項９】
前記情報の送信側からの給電に基づいて前記ファームウェアを受信し、
前記機器からの給電に基づいて前記ファームウェアを記憶する請求項７に記載の保守用基板。
【請求項１０】
前記機器は、空調機または給湯器である請求項７に記載の保守用基板。
【請求項１１】
携帯端末を用いたデータ書込方法であって、
前記携帯端末は、
電子基板に保持されている所定の情報を前記電子基板から読取り、
前記電子基板と交換される保守用基板に前記所定の情報を書込み、
前記保守用基板に書込まれる前記所定の情報に基づいてファームウェアを取得し、
前記取得したファームウェアを前記保守用基板に書込むデータ書込方法。
【請求項１２】
前記携帯端末は、
前記携帯端末から前記電子基板への給電に基づいて、前記電子基板から前記所定の情報を読取り、
前記携帯端末から前記保守用基板への給電に基づいて、前記保守用基板に前記所定の情報を書込む請求項１１に記載のデータ書込方法。
【国際調査報告】
2020003379.tif 000020
2020003379.tif 000021
2020003379.tif 000022